(57)【特許請求の範囲】
【請求項１】
治療的に有用な化合物を補給された切断された同種移植骨を調製するためのin vitro又はex vivoの方法であって、
(ｉ)  治療的に有用な化合物に前記切断された同種移植骨を曝すステップと、
(ｉｉ)  髄管と外部骨表面の間に電極を用いて電位差を印加して、前記治療的に有用な化合物を前記骨内に濃縮するステップと
を含む、方法。
【請求項２】
少なくとも第一の電極が治療的に有用な化合物を含む第一の溶液における髄管内に位置し、第二の電極が骨表面の外部に置かれ、第二の電極が第二の溶液中にある請求項１に記載の方法。
【請求項３】
第二の溶液が、第一の溶液中の治療的に有用な化合物と同一の治療的に有用な化合物又は第一の溶液中の治療的に有用な化合物と異なる治療的に有用な化合物をも含む請求項２に記載の方法。
【請求項４】
少なくとも第一の電極が第一の溶液中の髄管内に位置し、第二の電極が骨表面の外部に置かれ、第二の電極は治療的に有用な化合物を含む第二の溶液中にある請求項１に記載の方法。
【請求項５】
治療的に有用な化合物が、抗生物質、抗真菌性化合物、化学療法的化合物、組織成長因子、非ステロイド抗炎剤、インドメタシン、カルシウムおよび骨代謝に影響する神経筋剤、抗ウイルス剤、抗結核剤、駆虫剤、防腐剤、ビタミンおよびミネラルの群から選択される請求項１又は２記載の方法。
【請求項６】
抗生物質が、ゲンタマイシンであり、約２００ｍｇ／ｋｇの最大服用量で骨または骨組織内に投与される請求項５に記載の方法。
【請求項７】
抗生物質が、フルクロクサシリンであり、約８０ｍｇ／ｋｇの最大服用量で骨または骨組織内に投与される請求項５に記載の方法。
【請求項８】
治療的に有用な化合物が、ミコナゾールおよびケタコナゾールの群から選択される抗真菌性化合物である請求項５に記載の方法。
【請求項９】
治療的に有用な化合物が、５−フルオロ−ウラシルおよびビンブラスチンから選択される化学療法的化合物である請求項５に記載の方法。
【発明の詳細な説明】
【０００１】
本発明は、少なくとも１つの治療的に有効な化合物により補給される骨または骨組織を提供し、特に、前記化合物により骨または骨組織を補給する方法に関する。
【０００２】
大規模な同種移植手術は、筋骨格および顎顔面手術における多数の再構成問題の解決を提供した。このような手術の利用は、しかし、しばしば、このような手術を適用不可能にする合併症である感染の頻度により遅れた。新規性の凍結同種移植の適用は、感染率が非常に低いが、大規模な同種移植は、５〜１３％の感染率を有する。感染への罹りやすさは、多分、多数の要因を有し、移植された移植片の無血管性および抗原性と、頻繁で大規模な組織摘出と、傷の崩壊の潜在的可能性とが、寄与している。
【０００３】
整形外科的実践における同種移植骨の使用は、小量に分けられた移植片および部位特異的な構造移植片の双方として、現在、確実に確立されている。感染のリスクは、しかし、依然として、このような手術における大きな複雑化要因である。他の同種移植手術と同様、同種移植骨における感染の頻度は、５〜１３．３％である。感染した患者の結果は、芳しくなく、しばしば、２段階の再建術および切断術を必要とする。
【０００４】
感染は、通常、同種移植手術後、早期に発生し、７５％は４ヶ月以内である。これらのケースの大部分において、手術中に有機体を導入することが、感染の推定形態である。単離された多部分の通常の有機体は、グラム陽性(５４％)であり、次いでグラム陰性(３６％)、混合型(１０％)である。
【０００５】
同種移植手術における感染率を低下するための多数の試みが、特に、顎顔面手術の分野においてなされた。手術中の抗生物質治療法は、しばしば、採用され、３ヶ月までわたる抗生物質の長期投与が行われるが、これらの治療法の効率を示すための対照研究は、行われていない。同種移植手術における全身性抗生物質投与の理論的問題は、特に同種移植骨を使用する場合、同種移植片が、初めは無血管性であり、抗生物質が、それらの標的に到達できないことにある。
【０００６】
同種移植骨に抗生物質を投与するための試みが、なされた。１つのこのような研究では、小量分割された同種移植片が、抗生物質溶液と混合された。より最近、抗生物質を補給された骨同種移植片が、開発され、口部顎顔面骨格の裂離欠陥の領域内で使用されている。この技術は、脱塩粒子状同種移植骨を使用し、それを精製ゼラチン粉末およびセファロチンおよびトブラマイシンと混合する。この調製をテストするイヌモデルは、従来の同種移植片に比して、術後感染からの保護の可能性を示した。
【０００７】
これらの方法は、合併症の減少を示したが、大規模同種移植骨における感染の問題は、依然として、大きい問題である。さらに、感染に抗する同種移植片を調製する現在の方法は、大量の準備作業を必要とし、通常、大型骨移植片が必要とされる場合、適切でなく、使用方法に依存して、同種移植骨と同一の構造完全性を有する生成物をもたらさない。このようにして、大型同種移植骨手術における感染の問題は、ほとんど、解決されておらず、合併症が発生した患者にとって重大な結果をもたらす。
【０００８】
本発明は、少なくとも１つの治療的に有効な化合物により補給される、改善された骨または骨組織を提供する。さらに、本発明は、少なくとも１つの治療的に有効な化合物により、骨または骨組織を補給するための簡単かつ効率的なプロシージャを提供する。
【０００９】
明細書全体をとおして、前後関係により必要でない限り、「含む（comprise）」という単語や、その変化形である「含む（comprises）」や「含んでいる（comprising）」は、整数や整数のグループを含有するものであるが、他のいかなる整数や整数のグループを排除するものではないことを意味する。
本発明において、"骨または骨組織"は、異種移植源からプロセシングされた材料、または、例えばリン酸カルシウムおよびハイドロキシアパタイトなどの骨置換目的のために製造された化学薬剤を含む、再構成の間に骨を置換するのに使用される任意の生物学的または合成材料を含む骨置換物を含む。
【００１０】
本発明は、少なくとも1つの治療的に有用な化合物により補給される骨または骨組織であって、前記化合物が骨基質内に濃縮されている、骨または骨組織から成る。
【００１１】
従来の生成物と異なり、本発明は、治療的化合物を、同種移植骨または組織と結合するために、結合剤、保護剤、ゼラチン化剤などの使用に頼らない。すなわち、治療的に有効な化合物が、イオン導入のプロセスにより、骨基質内にデリバリーおよび濃縮される。好ましくは、骨内の治療的に有効な化合物の濃度は、簡単な拡散により、骨内に吸収される治療的に有効な化合物の量に比して高い任意の特定の骨片内に投与される治療用化合物の相対量は、(ａ)治療用化合物のための安全ｉｎ  ｓｉｔｕ使用限界と、(ｂ)骨または骨組織の特性と、(ｃ)選択された特定の化合物の生物学的特性と、(ｄ)骨または骨組織が使用される特定の目的とに依存する。
【００１２】
本発明で使用される治療的に有効な化合物には次のものがあるが、これらに制限されない、すなわち、抗生物質、抗真菌性化合物、化学療法的化合物、組織成長因子(例えば骨形態形成タンパク質)、非ステロイド抗炎剤例えばインドメタシン、カルシウムおよび骨代謝に作用する神経筋剤（例えばカルシトニン）、抗ウイルス剤、抗結核剤(例えばリファンピシン)、駆虫剤(例えばメベンダゾール)、防腐剤、ビタミンおよびミネラルである。より好ましくは、骨内に投与された治療的に有効な化合物が溶液内で塩を形成し、単一の陽イオンまたは陰イオンにイオン化する。当業者には、このような化合物は明白である。
【００１３】
例えば、抗生物質が、骨または骨組織内に投与される場合、抗生物質化合物は、フルクロクサシリン、ゲンタマイシン、セファロチン、チカルシリン、シプロフロクサシン、ネンズルペニシリン、セフォペラゾン、セフロキシム、セファゾリンおよびトブラマイシンから選択される。最も好ましくは、抗生物質は、フルクロクサシリンまたはゲンタマイシンである。骨内に投与される場合、これらの化合物は、好ましくは、抗生物質の最小抑制的濃度と、全身性投与のための安全単一用量に等しい最大濃度との間の濃度で存在する。例えば、同種移植片内に投与されるゲンタマイシンの最大用量は、約２００ｍｇ／ｋｇであり、フルクロクサシリンの最大用量は、約８０ｍｇ／ｋｇである。
【００１４】
治療的に有効な化合物が抗真菌性化合物である場合、抗真菌性化合物は、ミコナゾールおよびケタコナゾールから選択される。骨内に投与されると、これらの化合物は、好ましくは、抗真菌薬の最小抑制的濃度と、全身性投与のための安全単一用量に等しい抗真菌薬全量を提供する濃度との間の濃度で存在する。
【００１５】
治療的に有効な化合物が化学療法的化合物である場合、それは、化学療法的化合物は、５−フルオロ−ウラシルおよびビンブラスチンから選択される。最も好ましくは、化学療法的化合物は、５−フルオロ−ウラシルである。
【００１６】
代替的形態では、本発明は、治療的に有効な化合物により、骨または骨組織を補給する方法であって、前記方法が、
(ｉ)  治療的に有効な化合物に骨または骨組織を曝すステップと、
(ｉｉ)  前記治療的に有効な化合物が、骨または骨組織内に濃縮されるように、前記骨または骨組織にわたり電位差を印加するステップとを使用する、方法から成る。
【００１７】
好ましくは、前記方法に使用される前記治療的に有効な化合物が、外部的に印加された電位差を使用して、骨または骨組織内に濃縮される。骨または骨組織の構造完全性を破壊しないかぎり、任意の外部的に印加される電位差が、使用できる。使用電位差は、(ａ)骨の厚さ、(ｂ)化合物を骨にデリバリーするのに使用可能な時間、(ｃ)骨内に投与される化合物、（ｄ)骨の温度に依存する。好ましくは、投与プロセスの間の骨の温度は、約３７℃以下に保持されなければならない。
【００１８】
高い、外部的に印加された電位差が、治療的に有効な化合物を骨に投与するのに使用される場合、本方法は、骨または骨組織を冷却することが可能である手段の存在下で実施される。例えば、本方法は、冷凍された環境内で実施されるか、または、水浴内で実施される。
【００１９】
本発明は、分割された同種移植骨への投与に制限されない。本発明は、骨腫瘍などの医学的疾患を治療するために、骨内に化合物をデリバリーするのに、ｉｎ  ｓｉｔｕで使用される。このような環境下で、治療的に有効な化合物は、好ましくは、医学的に安全なレベルで、骨を包囲する組織内へ導入される。外部的に印加された電位差は、次いで、骨内に、治療的に有効な化合物を濃縮するのに充分な時間にわたり、骨にわたり印加される。好ましくは、外部的に印加された電位差は、それが、治療的に有効な化合物を、骨内に引込み、濃縮するが、周囲の組織の構造的完全性に影響しないように、選択される。
【００２０】
本方法に使用されるのに適切な、治療的に有効な化合物は、溶液内で可溶性塩を形成することが可能であるものである。好ましくは、外部的に印加された電位差の存在下でイオン化して、陽イオンまたは陰イオンを形成することが可能である。適切な化合物の例は、前述のものである。最も好ましくは、フルクロクサシリンまたはゲンタマイシンなどの抗生物質が、治療的に有効な化合物として使用される。
【００２１】
骨または骨組織内へ投与される、治療的に有効な化合物の濃度は、大幅に、使用化合物の特性と、化合物が、治療的効果を発揮するのに必要な時間とに依存する。好ましくは、化合物は、互いに等価の時間にわたる拡散の結果、骨内へ拡散される化合物の量を越えるレベルまで、骨内に濃縮される。すなわち、互いに等価の時間にわたる拡散とは、本方法と、拡散法とが、互いに等価の時間にわたり実施されることを意味する。
【００２２】
骨または骨組織にわたり、外部的に電位差を印加するには、少なくとも２つの電極が必要であり、一方の電極は、骨の一方の側に配置され、他方の電極は、骨の他方の側に適切に配置される。これらの電極の間の電気的コンタクトを保証するために、電極は、それぞれ、好ましくは、電流を通す媒体により包囲されている。好ましくは、複数の電極が、骨のどちらかの側に配置されている。任意の電極が、本方法で使用されることが可能であるが、好ましい電極は、骨または骨組織を損傷する化学的残留物を発生しないものである。本発明での使用に適切な電極には、次のものがあるが、これらに制限されない、すなわち、炭素、白金、チタン、金、貴金属、ステンレススチール、導電性プラスチックなどである。
【００２３】
本発明の非常に好ましい形態では、本方法は、同種移植手術の前または間に、適切な治療用化合物を、骨に投与するために、同種移植骨に適用される。好ましくは、本方法は、無菌条件下で、実施される。
【００２４】
方法の特に好ましい形態では、治療する、骨の部分区間は、準備処理され、解凍される。次いで、各端部において僅かに過剰長を有する、適切な長さに(当業者には自明な方法で)切断される。好ましくは、この過剰長は、約１〜１０ｍｍのオーダである。
【００２５】
骨の一端において、この端部における髄管を完全に密封するのに適切なサイズのディスクが、密封的に、骨に係合されている。ディスクは、任意の絶縁材料、例えばアクリル、プラスチックなどから成る。骨と、ディスクとの間の密封的係合は、例えば、シアノアクリレートなどの、骨にディスクを接着することが可能であり、殺菌されることが可能である接着剤を使用して、達成される。当業者には、このような接着剤は、自明である。
【００２６】
骨の他端において、適切な長さの管が、管が、髄管を、この端部に密封的に係合させるように、骨にセメントにより接着される(図１参照)。管は、アクリルなどの任意の絶縁材料から成る。標本は、次いで、ビーカ内に置かれ、延びている髄管の開放端が、イオン溶液のレベルの丁度上になるように、緩衝液内に浸漬される。緩衝液は、通常の生理食塩水などの、電流を通すことが可能である任意の溶液でよい。
【００２７】
髄管は、次いで、骨内へ投与する化合物のイオン溶液により充填される。好ましくは、溶液は、無菌であり、ゲンタマイシンまたはフルクロクサシリンなどのイオンの形の抗生物質から成るが、抗真菌性化合物、化学療法的薬剤、または、溶液内で単一のイオン種にイオン化する任意の他の化合物でもよい。溶液のｐＨが、次いで、化合物の最大のイオン化を保証するために、最適化される。
【００２８】
電極が、次いで、本装置内に置かれ、少なくとも１つが、イオン溶液内に垂直に置かれ、複数の垂直で、等間隔で配置されている電極が、ビーカのその側に固定され、緩衝液内に浸漬される。周囲の電極は、次いで、それらが、１つの電極として動作するように、接続される。電極は、炭素、白金などの任意の不活性材料から成る。
【００２９】
電位差が、次いで、骨内への、治療的に有効な化合物の投与が完了するまで、電極にわたり印加される。骨組織内へ化合物が輸送されるのに必要な時間は、(ａ)電圧に依存し、電圧が増加するすると、化合物の輸送に必要な時間が短縮し、(ｂ)骨の厚さに依存し、(ｃ)使用イオン化合物に依存する。通常、適切な冷却手段の支援無しに、本方法で使用される最大電圧は、１００Ｖのオーダであるが、理論的には、冷却手段が採用される場合、電圧に上限または下限は、存在しない。好ましくは、骨の温度は、３７℃に到達したり、越えたりしてはならず、すなわち、３７℃で、骨のコラーゲン成分が、劣化しはじめる。
【００３０】
電圧および印加時間は、次の例で説明されるように、実験的に定めることが可能である。
【００３１】
本発明は、さらに、次の非制限的な図および例により説明される。
【００３２】
（図面の簡単な説明）
図１は、横方向イオン導入のための代表的な装置を示し、図２は、長手方向または周方向のイオン導入のための代表的な装置を示し、図３は、管状骨標本のイオン導入のための装置を示し、図４は、ヒツジの脛骨を使用しての、ゲンタマイシンイオン導入のグラフを示し、図５は、ヒツジの脛骨を使用してのフルクロクサシリンイオン導入のグラフを示し、図６は、ヒト同種移植片を使用してのゲンタマイシンイオン導入のグラフを示し、図７は、ヒト同種移植片を使用してのフルクロクサシリンイオン導入のグラフを示し、図８は、ゲンタマイシンおよびフルクロクサシリンを使用しての組み合せイオン導入のグラフを示し、図９は、使用可能な抗生物質１ｇ当りの一時間毎の洗浄のグラフを示し、図１０は、使用可能な抗生物質１ｇ当りの一時間毎のフルクロクサシリン洗浄のグラフを示し、図１１(ａ)は、Ｓｔａｐｈｌｏｃｏｃｃｕｓ  Ａｕｒｅｕｓに対するゲンタマイシンの対生物作用を示し、図１１(ｂ)は、Ｓｔａｐｈｙｌｏｃｏｃｃｕｓ  Ａｕｒｅｕｓに対するフルクロクサシリンの対生物作用を示し、図１２は、温度プロットのグラフを示す。
【００３３】
本発明のさらなる特徴が、次の例において、より詳細に説明される。しかし、この詳細な説明は、本発明を例示的に説明するためにのみ記載され、前述の幅広い説明を、いかなる面でも制限しない。
【００３４】
（本発明の実施例）
［例１］
実験的研究が、肉屋から購入したメリノ種の成熟ヒツジの脛骨を使用し、次いで、パース(Ｐｅｒｔｈ)骨および組織バンクにより、移植への使用を拒絶されたヒト同種移植骨を使用して、実施された。最初に使用されたイオン化合物は、陽イオンを形成し、電位差が印加されると陽極から移動して離れる、１％溶液内のメチレンブルーであった。フルクロクサシリンおよびゲンタマイシンは、さらなる研究のための抗生物質として選択された抗生物質であった。メチレンブルーが、最初の研究のために選択された理由は、それが、視覚的識別が容易であり、アッセイ技術が不要であることにある。それは、３７３の分子量を有し、この分子量は、フルクロクサシリンの分子量４５３およびゲンタマイシンの分子量４６０とあまり異ならない。この類似性は、それが、イオン導入を使用して、フルクロクサシリンおよびゲンタマイシンの推定挙動パターンを研究するのに良好なモデルを提供することを意味する。ゲンタマイシンは、溶液内で、硫酸塩の陽イオンとして存在し、フルクロクサシリンは、陰イオンおよびそのナトリウム塩のイオン凝集体として存在する。
【００３５】
予備研究が、皮質骨の１ｃｍ2の円板または正方形の板を使用して行われ、イオン導入が、骨内のメチレンブルーイオンの運動を容易にするのに効果的であるかを確証するのに使用された。さらに、本技術の効率が最大化される方法の技術面が、特に次の点に関連して研究された。すなわち、メチレンブルーが皮質骨全長にわたる電位差の影響下で、最も容易に動く方向と、単極電位勾配と比べたパルスした領域のイオンの運動における効果と、骨を横切ってイオンが運動する速度の電位差を変化したときの効果とである。
【００３６】
骨片が、電気的絶縁体として、エポキシセメント内に埋め込まれ、イオン導入勾配をその全長にわたり印加するために、２つの表面が、露出されたままにされた。標本は、次いで、分割され、メチレンブルーの透過が、測定された。使用装置は、図１および２に示されている。
【００３７】
これらは、骨内のイオン導入の実現可能性と、技術を適用する効果的方法とを研究するのに使用された。メチレンブルーが、皮質骨円形体の１つの表面に適用された対照実験では、２０分後でさえも、青色の透過は、最小であった。電位差が、印加されたケースでは、メチレンブルーは、皮質を透過したことが、観察された。
【００３８】
容易化された拡散の速度は、印加された電位差に比例し、４ｍｍ皮質にわたり１００Ｖの場合、完全な透過が、約４分で、推定される。パルス化フィールドの使用による明瞭な利点は、得られなかった、何故ならば、電極が分極して、通過電流が低下することが、おおよそ、調査下のイオンが皮質を完全に透過する時点で発生するからである。技術は、イオンが、皮質を横方向に透過するようにするのに最も効果的であった。イオンが、皮質の周りを周方向に動くようにする、または、骨内管の方向に長手方向に動くようにするには、それほど効果的ではなかった。
【００３９】
（例２）
（管状骨同種移植モデル）
この最初の研究から、仮定を完全に調査するシステムが、医療的関連性が高まって、開発された。２ｃｍ長のセクションが、ヒツジの脛骨の骨幹領域から切断された。骨の管の開放端は、それにセメント固定された３ｃｍ長アクリル管を有し、髄管を効果的に延長させて、その容積を増加させた。標本は、次いで、ビーカ内に置かれ、ビーカの内側において、３つの垂直で等間隔の炭素電極が、固定された。ビーカは、次いで、通常の生理食塩水により、アクリル管の開放端の丁度下まで充填された。調査下の２ｍｌのイオン化合物は、脛骨の髄管内に置かれ、炭素電極が、その中に、下降されて入れられた。皮質にわたり印加された電位差の効果は、このようにして、研究された。対照実験が、同一の方法で準備された、ただし、電位差が、電極にわたり印加されなかった点だけが、異なる。研究標本には、電位差が、１分、２分、５分または１０分印加された。
【００４０】
全ての標本は、次いで、除去され、髄管は、洗浄され、乾燥された。軸線方向セクションが、次いで、ダイヤモンド鋸を使用して切断され、メチレンブルーの透過の量が、測定された。さらに、組織学的セクションが、顕微鏡レベルでの透過を評価するために、３００μｍの厚さで準備された。メチレンブルーイオン導入は、骨内のイオン導入の量的分析を提供した。
【００４１】
システムが前述のように設定され、メチレンブルーが、イオン溶液として使用された場合、標本のイオン導入の間に流れた通常の電流は、４０ミリアンペアであった。骨膜表面の青色着色が、約１．５分後において観察され、５分後に最大であった。
【００４２】
標本の肉眼による評価が、次いで、行われて、メチレンブルーの透過が、評価され、顕微鏡による調査が、透過の均一性を評価するために行われた。この結果は、表１に示されている。
【００４３】
この研究は、ヒト同種移植脛骨のセクションを使用して、繰り返し行われた。２つの間のただ１つの評価可能な差は、ヒツジ脛骨が純粋に、コンパクトな皮質骨から成ったのに対し、ヒト脛骨は骨膜面において皮質骨を含み、骨内膜面では海綿骨質を含むことにある。この海綿骨質は、メチレンブルーの拡散のバリヤーにならない。促進された拡散の速度と、透過の均一性は、類似である。
【００４４】
【表１】
0003888851.tif 000002
【００４５】
（例３）
定量分析は、同種移植骨内での抗生物質の運搬手段としてのイオントフォレシス（iontophoresis）によって行った。ヒツジの脛骨試料は上記のように調製した。髄管は、２ｍｌの１％ゲンタマイシン硫酸塩溶液（デルタウェスト社、西オーストラア）または、蒸留水に溶かした１％フルクロクサシリンナトリウム（アルファファーム社）で充填した。電位差１００Ｖを、１分、５分、１０分かけた。コントロールは、同様にして、電位はかけずに１０分おいた。それぞれの試料において流れた電流の記録がなされた。
【００４６】
それぞれの試料は、水で洗浄し、乾燥させた。骨内膜と骨膜の表面の１０の試料は、３ｍｍの低速度ドリルを用いて採取し、１０ヶ所のそれぞれの表面で細かいパウダーにした。質量既知のそれぞれの試料を２ｍｌの蒸留水中に加え、超音波で攪拌した。次に、試料を遠心分離し、上澄みを除去する操作を２回以上行った。最後の洗浄は、遠心分離する前に、１２時間浸漬したままにしておいた。フルクロクサシリン試料は、加水分解による崩壊を最小限度におさえるため、この作業中４℃に冷蔵した。次に、上澄み液の抗生物質の含有量を調べた。ゲンタマイシンは、蛍光分極免疫測定法（アボットアキシムアナライザー）により測定を行い、フルクロクサシリンについては、液体高速クロマトグラフィーを用いて測定した。上澄み液の含量から、骨試料の抗生物質量が計算された。
【００４７】
イオントフォレシスが骨に与える熱効果を調べるために、いくつかの試料を用意し、皮質性の骨の試料の長軸方向に直径０．８ｍｍのドリルを用いて穴をあけ、ファイバーオプティックサーマルフルオレッセンスプローブを通した。装置は上記のように組立て、１０℃に冷却した。イオントフォレシスの電位差は、１００Ｖで１５分とし、温度を連続的に測定した。
【００４８】
はじめの実験は同種移植環状骨のモデルとして、ヒツジの脛骨を用いた。それぞれのコントロールと、イオントフォレシスを行ったグループでは、５つの試料を用いた。骨内膜と、骨膜の表面の処理は別々に行った。結果を図４および５に示す。
【００４９】
これらのグラフから、フルクロクサシリンとゲンタマイシンのイオンは、イオントフォレシスの勾配によって、ヒツジの皮質を通り抜けて移動していることがわかった。ゲンタマイシンの含量は、骨内膜、骨膜の両試料とも、最高値が約１５０ｍｇ／Ｋｇに達した。これを、１０ｍｇ／Ｌの薬を静脈内に投薬した後の血清濃度の推奨されたピークと比較した。ゲンタマイシンの黄色ブドウ球菌に対する最小抑制濃度は、およそ、０．２５ｍｇ／Ｌである（この値は、ファージタイプによって異なる）。骨内膜試料では、１分後にピークに達し、骨膜では５分後に達した。これはイオンが骨膜に達するまでには、さらに移動するため、結果的に時間がかかるためである。
【００５０】
この実験は、ヒトの同種移植脛骨をもちいて繰り返し行って補充した。利用できる同種移植骨が不足しているため、それぞれのグループは１つの試料しかなかった。４つの試料はすべて骨幹に隣接した1cmの部分で、ゲンタマイシンとフルクロクサシリンのいずれにもさらされなかった脛骨である。その結果を図６および７に示す。
【００５１】
ゲンタマイシンとフルクロクサシリンは、ヒトの同種移植骨でもヒツジの骨と同様の挙動を示した。また、抗生物質の治療学的な含量が最高に達するのに、すべての深度で１０分かかった。この時間の増加はおそらく、ヒツジの試料に対するヒトの試料の厚さを反映しているものであろう。
【００５２】
ゲンタマイシンは陽極から、フルクロクサシリンは陰極から移動してくるが、次に調べることは、それぞれ反対の方向からヒツジの脛骨試料試料へ移動してくる薬のイオントフォレシスを同時に行う可能性であった。装置の組立は、前に使用したのと同様であり、髄管に充たした１％のゲンタマイシン溶液に陽極を浸し、ビーカーに充たした１％フルクロクサシリン溶液に陰極を浸す。この結果を図８に示す。
【００５３】
ここでわかるように、ゲンタマイシンはイオントフォレシスをはじめて５分後には皮質の厚みすべてに浸透するが、フルクロクサシリンは骨膜内の含量のみが上昇した。すべての抗生物質の濃度はコントロールと比べて著しく上昇した。
【００５４】
（例４）
抗生物質の生理学的効果は、上記のイオントフォレシスにより５分間異なる電圧をかけて、試料を作成することによって評価された。試料は皮質から穴をあけ、抗生物質の濃度測定の分析のために、上記のように調製した。それぞれの試料は20mlの食塩水に浸した。それぞれの溶液は一定の間隔で注ぎだし、抗生物質濃度を測定した。試料はすぐに新しい溶液に浸した。このようにして、イオントフォレシスによって溶出する抗性物質量が測定された。さらに、ゲンタマイシン試料は周囲と同じ温度に、フルクロクサシリン試料は４℃に冷蔵した。最後の溶出測定は１４日目に行った。抗生物質がイオントフォレシスによって骨にとりこまれる生理学的活動が、調べられた。ヒツジの脛骨試料試料を調製した。１／３は抗生物質にさらさず、１／３は抗生物質溶液に５分間浸漬し、１／３は上記の方法で、５分間１００Ｖの電圧をかけ、イオントフォレシスを用いて抗生物質をとりこんだ。それぞれの試料から軸方向に１ｍｍの厚さの部分をダイヤモンドソーで切り出し、栄養分を与えたアガープレートの上にすべて活性の黄色ブドウ球菌とともにおいた。プレートを２４時間インキュベイトし、抑制された範囲を調べた。
【００５５】
２０ｍｌ食塩水中の、２ｃｍ（約５ｇ）の長さの骨の環状部分からの溶解液の抗生物質の比率を、図９および１０に示す。２つの抗生物質は同じ挙動を示し、溶解液の比率は自然対数的に減少した。骨を塩溶液に浸して２週間後までは、まだ利用できる抗生物質が溶出した。
【００５６】
（イオントフォレシス後の抗生物質の生理学的活性）
栄養分のあるアガープレート上の黄色ブドウ球菌に対する薬の活性の結果を、図１１ａおよび１１ｂに示す。
【００５７】
抗生物質にさらされていない骨ではバクテリアのコロニーが繁殖したものの、抗生物質に浸した骨のまわりではバクテリアの繁殖が抑制された範囲がみられ、イオントフォレシス試料の周辺では、さらに大きな抑制範囲がみられた。
【００５８】
（イオントフォレシスの熱効果）
３つの試料の中間値の温度プロットを図１２に示す。すべての試料をはじめに１０度に冷却した。このプロットは、中間値と共に、最高値、最低値も示している。イオントフォレシスの電流は１５分で止めたが、温度測定はその後ひきつづき３分行った。
【００５９】
はじめの３０秒に温度は急上昇した後、電流が１５分の時点で止まるまでゆっくりと上昇する。記録された最高温度は３５．７℃であった。この熱効果は、４０ミリアンペアの電流が１００Ｖの電位差で流れたことでエネルギーを消失し、この系で全体として４ワットのエネルギーが消費されたことを表している。
【００６０】
この実験の結果、ヒツジの脛骨ではイオントフォレシスの１分後に、ヒトの同種移植脛骨では５分後に、ゲンタマイシンとフルクロクサシリンの両方が高濃度に達することがわかった。この手順は簡単で、高価な装置も必要ない。さらに、同種移植骨は手術室で移植を行うのに先立って、移植片を解凍するときにこのように処理してもよい。
【００６１】
ゲンタマイシンとフルクロクサシリンを同時に皮質の逆方向から移動させる試みにおいては、ゲンタマイシンは厚み分移動したものの、フルクロクサシリンは骨膜側のみにしか浸透しなかった。このもっとも適切な理由は、この沈殿反応は、ゲンタマイシンとフルクロクサシリンが混合したときに起こるからであろう。臨床例ではゲンタマイシンはこのシステムを利用してよく浸透するが、骨膜側表面の骨はフルクロクサシリンの治療学的な含量に達するであろうことを暗示している。メチレンブルーを用いた予備実験では、予想される最小量の正電荷を受けとるのは、表面であるということを示している（ゲンタマイシンの場合）。
【００６２】
ゲンタマイシンの骨中での含量は驚くほど高いようにみえるが、２００ｍｇ／Ｋｇのゲンタマイシンを含む５００ｇの同種移植片が移植されると、移植される抗生物質の総量は約１００ｍｇであり、これは、日常ゲンタマイシンの静脈より一度に摂取する服用量よりもずっと少ない。骨中の抗生物質の濃度を計算する方法は、砕いた骨から全ての抗生物質を洗い出すものだと考えられている。上記の方法で得られた抗生物質の含量はまた、静脈投薬された後に測定した、２．４〜１９．４ｍｇ／Ｋｇに比べかなり高い値を示し、しばしば血清の濃度の０．１４〜０．３６に達する値をとる。
【００６３】
本発明の原理や、好ましい具体例や例を含む本発明に関する上の記載はこの発明を説明する目的であって、発明の範囲を限定する意図でなされたものではない。本発明の精神と範囲内で、様々な修正と変更がなされうるであろう。
【図１】
0003888851.tif 000003
【図２】
0003888851.tif 000004
【図３】
0003888851.tif 000005
【図４】
0003888851.tif 000006
【図５】
0003888851.tif 000007
【図６】
0003888851.tif 000008
【図７】
0003888851.tif 000009
【図８】
0003888851.tif 000010
【図９】
0003888851.tif 000011
【図１０】
0003888851.tif 000012
【図１１ａ】
0003888851.tif 000013
【図１１ｂ】
0003888851.tif 000014
【図１２】
0003888851.tif 000015